(57)【要約】【課題】  巻きストレッチフィルムを引き伸ばして引きちぎった後、ストレッチフィルム端が巻きストレッチフィルムにへばりついて引き出しづらい。【解決手段】  ストレッチフィルム操作具は、紙管支持具と回転カッターから成っていて、回転カッターは、左右のブレーキ管にブレーキパットとスプリングが装着されカッター刃アームが形成されていて、左右のカッター刃アームの間にカッター刃と、ローラーを貫通したローラー軸が設けられていて、紙管支持具は、紙管装着管と、グリップと、紙管装着管受け軸の構成であって、紙管装着管受け軸の一端は複数に分かれて紙管装着管脱落止めが形成されていて、紙管装着管は、タイト隆起と紙管止めと回転カッター脱落止めリングに成っていて、紙管装着管は紙管と、左右のブレーキ管とを貫通して、更に紙管装着管受け軸に回転自在に装着されている。【選択図】  図１
2017209489.tif 000002
【特許請求の範囲】
【請求項１】
ストレッチフィルム操作具において、ストレッチフィルム操作具は、紙管支持具と回転カッターから成っていて、回転カッターは、左右のブレーキ管にブレーキパットとスプリングが装着されカッター刃アームが形成されていて、左右のカッター刃アームの間にカッター刃と、ローラーを貫通したローラー軸を設けていて、紙管支持具は、紙管装着管と、グリップと、紙管装着管受け軸の構成であって、紙管装着管受け軸の一端は複数に分かれて紙管装着管脱落止めが形成されていて、紙管装着管には、複数のタイト隆起が形成され一部は紙管の内径より太い形状の紙管止めであって一端は回転カッター脱落止めリングに成っていて、紙管装着管は紙管と、左右のブレーキ管とを貫通して、更に紙管装着管受け軸に回転自在に装着されていて、紙管装着管受け軸とグリップの結合部にブレーキ板と回転カッター移動止めが固定装着されていて、ブレーキ板に紙管コントロール突起と回転カッター止め突起を設けていて、回転カッターと紙管の回転をブレーキ板の操作によりコントロールしていることを特徴とするストレッチフィルム操作具。
【請求項２】
ストレッチフィルム操作具において、ストレッチフィルム操作具は紙管支持具と回転カッターから成っていて、紙管支持具は紙管装着軸とグリップを一体に成形してあり、紙管装着軸は、紙管装着軸の一端より二つに割れていて、割れた端に紙管脱落止めが形成され、紙管装着軸とグリップとの結合部にブレーキ板が紙管装着軸に固定装着されて、ブレーキ板に紙管コントロール突起と回転カッター止め突起が設けられていて、回転カッターは、紙管が貫通するブレーキ管の一端から横向きにカッター刃アームを形成してあり、カッター刃アームから上向きに伸びるカッター刃が形成されて、カッター刃の一端にローラー軸アームを設けてあって、カッター刃アームとローラー軸アームにローラー軸を装着する為の穴が設けて有り、カッター刃アームとローラー軸アームの間にローラーを貫通したローラー軸が設けられていて、ブレーキ管にブレーキパット装着穴を設けて、ブレーキパット装着穴にブレーキパットプリングを有するブレーキパットが装着されていて、紙管装着軸にスペイサーが装着され、スペイサーから横に伸びる補助アームが形成されて、補助アームにローラー軸アームカバーが設けられていて、回転カッターと紙管の回転をブレーキ板の操作によりコントロールしていることを特徴とするストレッチフィルム操作具。
【請求項３】
ストレッチフィルム操作具において、ストレッチフィルム操作具は、左右の紙管操作グリップと紙管支持具とリフトハンドルと回転カッターから成っていて、回転カッターは、左右のブレーキパット装着管に形成された左右のカッター刃アームの間にカッター刃と、ローラーを貫通したローラー軸が装着され、左右のブレーキパット装着管にブレーキパットとスプリンが設けられ、ブレーキパット装着管に溝が形成されていて、紙管操作グリップベースにフックが形成して有り溝にフックが嵌ってブレーキパット装着管は回転自在であって、左右の紙管操作グリップベースに設けられたブレーキ帯の端はブレーキボタンを貫通して紙管操作グリップベースに係止されていて、紙管操作グリップベースに紙管操作グリップ脱落止外リングが設けられていて、紙管支持具は、紙管装着軸と補助紙管装着軸により構成されて、紙管装着軸の一端に紙管操作グリップ脱落止め内リングと他端に雄螺子が形成されていて、補助紙管装着軸の一端に紙管操作グリップ脱落止内リングと他端は雄螺子が貫通する形状に成っていて、紙管装着軸と補助紙管装着軸により紙管を左右から支持し、雄螺子にナットを用いて紙管を左右から締め付けて紙管と紙管装着軸と補助紙管装着軸は一体で回転出来て、紙管操作グリップベースにグリップベースカバーホールが設けられていて、グリップベースカバーにジョイントフックが形成されていて、グリップベースカバーホールにジョイントフックが係止されていて、ブレーキボタンを押して紙管の回転を操作して回転カッターでストレッチフィルムを切断することを特徴とするストレッチフィルム操作具。
【請求項４】
前記左右の紙管操作グリップベースにリフトハンドルは固定されていて、リフトハンドルベースに装着されたリフトハンドルブレーキは、ブレーキレバーとブレーキ帯リフトバーと始点軸とブレーキ帯装着穴の構成であって、ブレーキ帯はブレーキ帯装着穴を貫通していて、リフトハンドルベースに設けられたブレーキ帯と紙管操作グリップベースのブレーキ帯は一体になっていて、リフトハンドルブレーキの操作により左右のブレーキボタンを同時にコントロール出来る、と共に、リフトハンドルベースの一部を凹ましたリフトハンドルベースの左右の内面とブレーキ負荷調整ボタンの左右面は波形状であって、ブレーキ帯がブレーキ負荷調整ボタンに設けられたブレーキ帯貫通穴を貫通していて、ブレーキ負荷調整ボタンの移動によりブレーキボタンと、紙管装着軸と補助紙管装着軸との摩擦を調整していることを特徴とする請求項３に記載のストレッチフィルム操作具。
【請求項５】
ストレッチフィルム操作具において、ストレッチフィルム操作具は紙管支持具と回転カッターとリフトハンドルの構成であって、紙管支持具は、紙管支持ベースにブレーキデスクリングフックが設けられ、ブレーキデスクリングフックにブレーキデスクリング が留まって、ブレーキデスクリング は回転自在であって、ブレーキデスクリング 周囲にブレーキベルトが設けてあって、ブレーキデスクリングに紙管支持ドラムジョイント板が形成され、紙管支持ドラムジョイント板にジョイントフックホールと紙管支持ドラムにジョイントフックが設けられ、ジョイントフックホールにジョイントフックが係止出来て、回転カッターは、カッター支持アームにカッター支持アームリングが形成され、カッター支持アームにカッタースライドバーとローラー軸が装着され、カッタースライドバーにカッタースライドベースがローラー軸にローラーが装着されて、カッタースライドベースにカッター刃を有するカッター刃レバーがスプリングと共に葉動自在に装着されていて、補助ローラー支持アームに補助ローラー支持アームリングが形成され、補助ローラー支持アームに補助ローラー軸と補助ローラーが装着されて、ブレーキデスクリング にアームスプリングが装着され、カッター支持アームにストッパーボタンが設けられていて、補助ローラー支持アームをストッパーボタンに係止してローラーと補助ローラーの距離を保持出来て、リフトハンドルは、リフトハンドルベースにジョイントベルトとブレーキレバーが装着され、ブレーキレバーを押して巻きストレッチフィルムの回転を操作出来る、と共に、カッター刃レバーを押し、カッタースライドベースをスライドするとストレッチフィルムはカッター刃により切断出されることを特徴とするストレッチフィルム操作具。
【請求項６】
ストレッチフィルム操作具において、ストレッチフィルム操作具は、紙管支持具と回転カッターとグリップの構成から成っていて、回転カッターは、ブレーキ管から水平方向に伸びるカッター刃アームが形成され、カッター刃アームから上に伸びるローラー軸とカッター刃軸が並んで形成され、ローラー軸の端にローラー脱落防止めフック設けられ、ローラー軸にローラーが装着され、カッター刃軸にカッター刃が装着されていて、ブレーキ管にブレーキパット装着穴が設けられていて、ブレーキパット装着穴にブレーキパットが挿入してあり、ブレーキパットはスプリングで押さえられている、と共に、紙管支持具は、回転軸の中央部にブレーキデスクリングが形成され、ブレーキ管に回転軸が貫通しブレーキデスクリングに並んで回転軸にブレーキ管が装着されていて、回転軸に開口部が設けてあって、紙管支持ドラムに開口部の形状を反映したが突起形成されていて、回転軸と紙管支持ドラムは一体に回転して、紙管支持ドラムの表面に紙管脱落止め突起が形成され、切り込みが設けられている、又、回転軸の中央部にグリップ移動防止め輪と、回転軸の下端にグリップフックが形成され、グリップに回転軸が貫通すると共にグリップ移動防止め輪とグリップフックの間にグリップが回転自在に装着されていて、グリップの上端にブレーキ板が固定装着されていて、ブレーキ板に紙管コントロール突起と回転カッター止め突起を設けていて、ブレーキ板を押して回転カッターとストレッチフィルムの回転を操作出来ることを特徴とするストレッチフィルム操作具。
【請求項７】
前記グリップの中央部から上は回転軸を貫通して、グリッの上端に回転軸脱落止めフックが設けられて、一体の回転軸と紙管支持ドラムはグリップを軸として回転自在に成っていることを特徴とする請求項６に記載のストレッチフィルム操作具。
【発明の詳細な説明】
【技術分野】
【０００１】
紙管に伸びるフィルムを巻き付けた、巻きストレッチフィルムを所定のものに巻き付けた後に所望の位置で切断することができるストレッチフィルム操作具に関する。
【背景技術】
【０００２】
ハンディタイプストレッチフィルム操作具はカッター刃が付いていなかった。
【先行技術文献】
【特許文献】
【０００３】
【特許文献１】特開２０１１−２０１６０６
【特許文献２】特開２０１０−０１３１５７
【特許文献３】特開平０８−１１９２４２
【特許文献４】実登３１７２９７２
【非特許文献】
【０００４】
【非特許文献１】キラックス製品(１０センチ幅ストレッチフィルム操作具)
【非特許文献２】トラスコ製品(ＴＳＤ−７７３)
【非特許文献３】トラスコ製品(ＴＳＤ−７７４)
【発明の概要】
【０００５】
本発明のストレッチフィルム操作具は、紙管支持具と回転カッターから成っていて、ストレッチフィルムを所望の物に巻き付ける際に、回転カッターと紙管に巻き付けたストレッチフィルムは同時に、又個々に回転出来て、ブレーキ板を指で押さえてストレッチフィルムを引き伸ばし、ストレッチフィルムが伸び切れる前に回転カッターでストレッチフィルムを切断するものです。
【発明が解決しようとする課題】
【０００６】
ホクセツグループ製品、又は株式会社ハンディクラウン製品の１０センチストレッチフィルム操作具は、紙管装着軸とグリップとの結合部にブレーキ板を固定装着して、ブレーキ板に紙管コントロール突起が設けてあって、ストレッチフィルムを所望の物に巻き付け、ブレーキ板を指で押さえてストレッチフィルムを引き伸ばし引きちぎるものであるが、伸びて縮んだストレッチフィルム端が巻きストレッチフィルムに残らない場合がありストレッチフィルム端を容易に取り出せない問題点がある。
【０００７】
片手使用のハンディタイプストレッチフィルム操作具においては、ストレッチフィルムを引き伸ばすことが出来る幅が１０センチ以上は困難である。
【０００８】
ストレッチフィルムを引き伸ばし引きちぎるストレッチフィルム操作具は、ストレッチフィルムを引き伸ばし引きちぎる作業を多くの回数を繰り返しするのは大変である。
【０００９】
巻きストレッチフィルムを装着して使用する紙管の内径が３インチのストレッチホルダーは、紙管の左右からストレッチホルダーを挿入するだけの形状ではストレッチホルダーが紙管から外れてしまう、片手で巻きストレッチフィルムのコントロールが出来ない解決すべき問題点がある。
【課題を解決するための手段】
【００１０】
本発明１は、ストレッチフィルム操作具において、ストレッチフィルム操作具は、紙管支持具と回転カッターから成っていて、回転カッターは、左右のブレーキ管にブレーキパットとスプリングが装着されカッター刃アームが形成されていて、左右のカッター刃アームの間にカッター刃と、ローラーを貫通したローラー軸を設けていて、紙管支持具は、紙管装着管と、グリップと、紙管装着管受け軸の構成であって、紙管装着管受け軸の一端は複数に分かれて紙管装着管脱落止めが形成されていて、紙管装着管には、複数のタイト隆起が形成され一部は紙管の内径より太い形状の紙管止めであって一端は回転カッター脱落止めリングに成っていて、紙管装着管は紙管と、左右のブレーキ管とを貫通して、更に紙管装着管受け軸に回転自在に装着されていて、紙管装着管受け軸とグリップの結合部にブレーキ板と回転カッター移動止めが固定装着されていて、ブレーキ板に紙管コントロール突起と回転カッター止め突起を設けていて、回転カッターと紙管の回転をブレーキ板の操作によりコントロールしているストレッチフィルム操作具。
【００１１】
本発明２は、ストレッチフィルム操作具において、ストレッチフィルム操作具は紙管支持具と回転カッターから成っていて、紙管支持具は紙管装着軸とグリップを一体に成形してあり、紙管装着軸は、紙管装着軸の一端より二つに割れていて、割れた端に紙管脱落止めが形成され、紙管装着軸とグリップとの結合部にブレーキ板が紙管装着軸に固定装着されて、ブレーキ板に紙管コントロール突起と回転カッター止め突起が設けられていて、回転カッターは、紙管が貫通するブレーキ管の一端から横向きにカッター刃アームを形成してあり、カッター刃アームから上向きに伸びるカッター刃が形成されて、カッター刃の一端にローラー軸アームを設けてあって、カッター刃アームとローラー軸アームにローラー軸を装着する為の穴が設けて有り、カッター刃アームとローラー軸アームの間にローラーを貫通したローラー軸が設けられていて、ブレーキ管にブレーキパット装着穴を設けて、ブレーキパット装着穴にブレーキパットプリングを有するブレーキパットが装着されていて、紙管装着軸にスペイサーが装着され、スペイサーから横に伸びる補助アームが形成されて、補助アームにローラー軸アームカバーが設けられていて、回転カッターと紙管の回転をブレーキ板の操作によりコントロールしているストレッチフィルム操作具。
【００１２】
本発明３は、ストレッチフィルム操作具において、ストレッチフィルム操作具は、左右の紙管操作グリップと紙管支持具とリフトハンドルと回転カッターから成っていて、回転カッターは、左右のブレーキパット装着管に形成された左右のカッター刃アームの間にカッター刃と、ローラーを貫通したローラー軸が装着され、左右のブレーキパット装着管にブレーキパットとスプリンが設けられ、ブレーキパット装着管に溝が形成されていて、紙管操作グリップベースにフックが形成して有り溝にフックが嵌ってブレーキパット装着管は回転自在であって、左右の紙管操作グリップベースに設けられたブレーキ帯の端はブレーキボタンを貫通して紙管操作グリップベースに係止されていて、紙管操作グリップベースに紙管操作グリップ脱落止外リングが設けられていて、紙管支持具は、紙管装着軸と補助紙管装着軸により構成されて、紙管装着軸の一端に紙管操作グリップ脱落止め内リングと他端に雄螺子が形成されていて、補助紙管装着軸の一端に紙管操作グリップ脱落止内リングと他端は雄螺子が貫通する形状に成っていて、紙管装着軸と補助紙管装着軸により紙管を左右から支持し、雄螺子にナットを用いて紙管を左右から締め付けて紙管と紙管装着軸と補助紙管装着軸は一体で回転出来て、紙管操作グリップベースにグリップベースカバーホールが設けられていて、グリップベースカバーにジョイントフックが形成されていて、グリップベースカバーホールにジョイントフックが係止されていて、ブレーキボタンを押して紙管の回転を操作して回転カッターでストレッチフィルムを切断するトレッチフィルム操作具。
【００１３】
前記左右の紙管操作グリップベースにリフトハンドルは固定されていて、リフトハンドルベースに装着されたリフトハンドルブレーキは、ブレーキレバーとブレーキ帯リフトバーと始点軸とブレーキ帯装着穴の構成であって、ブレーキ帯はブレーキ帯装着穴を貫通していて、リフトハンドルベースに設けられたブレーキ帯と紙管操作グリップベースのブレーキ帯は一体になっていて、リフトハンドルブレーキの操作により左右のブレーキボタンを同時にコントロール出来る、と共に、リフトハンドルベースの一部を凹ましたリフトハンドルベースの左右の内面とブレーキ負荷調整ボタンの左右面は波形状であって、ブレーキ帯がブレーキ負荷調整ボタンに設けられたブレーキ帯貫通穴を貫通していて、ブレーキ負荷調整ボタンの移動によりブレーキボタンと、紙管装着軸と補助紙管装着軸との摩擦を調整しているストレッチフィルム操作具。
【００１４】
本発明４は、ストレッチフィルム操作具において、ストレッチフィルム操作具は紙管支持具と回転カッターとリフトハンドルの構成であって、紙管支持具は、紙管支持ベースにブレーキデスクリングフックが設けられ、ブレーキデスクリングフックにブレーキデスクリング が留まって、ブレーキデスクリング は回転自在であって、ブレーキデスクリング 周囲にブレーキベルトが設けてあって、ブレーキデスクリングに紙管支持ドラムジョイント板が形成され、紙管支持ドラムジョイント板にジョイントフックホールと紙管支持ドラムにジョイントフックが設けられ、ジョイントフックホールにジョイントフックが係止出来て、回転カッターは、カッター支持アームにカッター支持アームリングが形成され、カッター支持アームにカッタースライドバーとローラー軸が装着され、カッタースライドバーにカッタースライドベースがローラー軸にローラーが装着されて、カッタースライドベースにカッター刃を有するカッター刃レバーがスプリングと共に葉動自在に装着されていて、補助ローラー支持アームに補助ローラー支持アームリングが形成され、補助ローラー支持アームに補助ローラー軸と補助ローラーが装着されて、ブレーキデスクリング にアームスプリングが装着され、カッター支持アームにストッパーボタンが設けられていて、補助ローラー支持アームをストッパーボタンに係止してローラーと補助ローラーの距離を保持出来て、リフトハンドルは、リフトハンドルベースにジョイントベルトとブレーキレバーが装着され、ブレーキレバーを押して巻きストレッチフィルムの回転を操作出来る、と共に、カッター刃レバーを押し、カッタースライドベースをスライドするとストレッチフィルムはカッター刃により切断出されるストレッチフィルム操作具。
【００１５】
本発明５は、ストレッチフィルム操作具において、ストレッチフィルム操作具は、紙管支持具と回転カッターとグリップの構成から成っていて、回転カッターは、ブレーキ管から水平方向に伸びるカッター刃アームが形成され、カッター刃アームから上に伸びるローラー軸とカッター刃軸が並んで形成され、ローラー軸の端にローラー脱落防止めフック設けられ、ローラー軸にローラーが装着され、カッター刃軸にカッター刃が装着されていて、ブレーキ管にブレーキパット装着穴が設けられていて、ブレーキパット装着穴にブレーキパットが挿入してあり、ブレーキパットはスプリングで押さえられている、と共に、紙管支持具は、回転軸の中央部にブレーキデスクリングが形成され、ブレーキ管に回転軸が貫通しブレーキデスクリングに並んで回転軸にブレーキ管が装着されていて、回転軸に開口部が設けてあって、紙管支持ドラムに開口部の形状を反映したが突起形成されていて、回転軸と紙管支持ドラムは一体に回転して、紙管支持ドラムの表面に紙管脱落止め突起が形成され、切り込みが設けられている、又、回転軸の中央部にグリップ移動防止め輪と、回転軸の下端にグリップフックが形成され、グリップに回転軸が貫通すると共にグリップ移動防止め輪とグリップフックの間にグリップが回転自在に装着されていて、グリップの上端にブレーキ板が固定装着されていて、ブレーキ板に紙管コントロール突起と回転カッター止め突起を設けていて、ブレーキ板を押して回転カッターとストレッチフィルムの回転を操作出来るストレッチフィルム操作具。
【００１６】
前記グリップの中央部から上は回転軸を貫通して、グリッの上端に回転軸脱落止めフックが設けられて、一体の回転軸と紙管支持ドラムはグリップを軸として回転自在に成っているストレッチフィルム操作具。
【００１７】
本発明１のストレッチフィルム操作具は、紙管にストレッチフィルムを巻き付けた巻きストレッチフィルムを装着して使用するストレッチフィルム操作具は紙管支持具と回転カッターから成っている。
【００１８】
回転カッターは、左右のブレーキ管にカッター刃アームが形成され、左右のカッター刃アームの間にカッター刃が設けてあり、左右のカッター刃アームの間にローラーを貫通したローラー軸が装着されていて、左右のブレーキ管にブレーキパット装着穴が設けられていて、ブレーキパット装着穴にブレーキパットが挿入してあり、ブレーキパットはスプリングで押さえられている。
【００１９】
紙管支持具は、紙管装着管と、グリップと、紙管装着管受け軸の構成であって、紙管装着管受け軸とグリップは一体に形成されて、紙管装着管受け軸の一端は二つに分かれていて、割れた端に紙管装着管脱落止めを形成している。
【００２０】
紙管装着管には、紙管に挿入される部分に複数のタイト隆起が形成され、紙管装着管の一部は紙管の内径より太い形状の紙管止めに成っていて、紙管装着管の一端は回転カッター脱落止めリングであって、紙管装着管は紙管と、回転カッターの左右のブレーキ管を貫通している。
【００２１】
紙管装着管受け軸とグリップの結合部にブレーキ板と回転カッター移動止めが固定装着されていて、ブレーキ板に紙管コントロール突起と回転カッター止め突起を設けていて、紙管装着管受け軸は紙管装着管を貫通し紙管装着管を回転自在に装着している。
【００２２】
本発明２のストレッチフィルム操作具は、紙管にストレッチフィルムを巻き付けた巻きストレッチフィルムを装着して使用するストレッチフィルム操作具は、紙管支持具と回転カッターから成っていて、紙管支持具は紙管装着軸とグリップが一体に成形されていて、紙管装着軸は、紙管装着軸の一端より二つに割れて、割れた端に紙管脱落止めを形成して、紙管装着軸とグリップとの結合部にブレーキ板が紙管装着軸に固定装着されていて、ブレーキ板に紙管コントロール突起と回転カッター止め突起を設けている。
【００２３】
回転カッターは、紙管が貫通するブレーキ管の一端から横向きにカッター刃アームを形成してカッター刃アームから上向きに伸びるカッター刃が形成されて、カッター刃の一端にローラー軸アームが設けられていて、カッター刃アームとローラー軸アームにローラー軸を装着する為の穴が設けて有りカッター刃アームとローラー軸アームの間にローラーを貫通したローラー軸が設けられている。
【００２４】
ブレーキ管にブレーキパット装着穴を設けて、ブレーキパット装着穴にブレーキスプリングを有するブレーキパットが装着されている。
【００２５】
ストレッチフィルムが巻かれた紙管の位置を安定させる為のスペイサーが紙管装着軸に装着され、スペイサーにスペイサーから横に伸びる補助アームが形成されていて、補助アームにローラー軸アームカバーが設けられている。
【００２６】
本発明３のストレッチフィルム操作具は、紙管にストレッチフィルムを巻き付けた巻きストレッチフィルムを装着して使用するストレッチフィルム操作具は左右の紙管操作グリップと紙管支持具とリフトハンドルと回転カッターから成っている。
【００２７】
回転カッターは、左右のブレーキパット装着管に設けられた左右のカッター刃アームの間にカッター刃と、ローラーを貫通したローラー軸が装着され、左右のブレーキパット装着管にブレーキパット装着穴が形成されていて、ブレーキパット装着穴にブレーキパットが挿入して有り、ブレーキパットをスプリンで押さえてあって、ブレーキパット装着管に紙管操作グリップと回転カッターを繋ぐ為の溝が形成されている。
【００２８】
左右の紙管操作グリップは、紙管操作グリップベースとグリップベースカバーで構成されて、紙管操作グリップベースに紙管操作グリップと回転カッターを繋ぐ為のフックが形成して有り溝にフックが嵌っていて、左右の紙管操作グリップには紙管操作グリップベースにブレーキ帯が設けてあって、ブレーキ帯は二股に分かれて、分かれたブレーキ帯の両者の端はブレーキボタンを貫通して紙管操作グリップベースに係止されていて、紙管操作グリップベースに紙管操作グリップ脱落止外リングとグリップベースカバーホールが設けられていて、グリップベースカバーにジョイントフックが形成されていて、グリップベースカバーホールにジョイントフックが係止されている。
【００２９】
リフトハンドルは、リフトハンドルベースの左右に、左右の紙管操作グリップベースが固定されていて、リフトハンドルベースに装着されたリフトハンドルブレーキは、ブレーキレバーとブレーキ帯リフトバーと始点軸とブレーキ帯装着穴で構成されていて、ブレーキ帯はブレーキ帯装着穴を貫通していて、リフトハンドルベースに設けられたブレーキ帯と紙管操作グリップベースのブレーキ帯は一体になっている。
【００３０】
紙管支持具は、紙管装着軸と補助紙管装着軸により構成されて、紙管装着軸の一端に紙管操作グリップ脱落止め内リングと他端に雄螺子が形成されていて、補助紙管装着軸の一端に紙管操作グリップ脱落止内リングと他端は雄螺子が貫通する形状に成っていて、紙管装着軸と補助紙管装着軸により紙管を左右から支持し、雄螺子にナットを用いて紙管を左右から締め付けている。
【００３１】
リフトハンドルにブレーキ負荷調整ボタンを装着する為のリフトハンドルベースの一部を凹ましてあり、凹ましたリフトハンドルベースの左右の内面とブレーキ負荷調整ボタンの左右面は波形状であって、ブレーキ帯がブレーキ負荷調整ボタンに設けられたブレーキ帯貫通穴を貫通している。
【００３２】
本発明４のストレッチフィルム操作具は、紙管にストレッチフィルムを巻き付けた巻きストレッチフィルを装着して使用するストレッチフィルム操作具であって、紙管支持具とリフトハンドルと回転カッターから成っている。
【００３３】
紙管支持具は、上下の紙管支持ベースにブレーキデスクリング を留める為のブレーキデスクリングフックが設けられ、ブレーキデスクリング がブレーキデスクリングフックにより紙管支持ベースに留まって、ブレーキデスクリング は回転自在であって、ブレーキデスクリング 周囲にブレーキベルトが設けてあって、ブレーキベルトの端は紙管支持ベースに留められている。
【００３４】
上下のブレーキデスクリングに紙管支持ドラムジョイント板が形成され、紙管支持ドラムジョイント板の一部は紙管支持ドラムを跳ね返す為のスプリングに成っていて、紙管支持ドラムジョイント板にジョイントフックホールと紙管支持ドラムにジョイントフックが設けられ、ジョイントフックホールにジョイントフックが係止されている。
【００３５】
回転カッターは、カッター支持アームにブレーキデスクリング が貫通するカッター支持アームリングが形成され、上下のカッター支持アームの間にカッタースライドバーとローラー軸が装着され、カッタースライドバーにカッタースライドベースがローラー軸にローラーが装着されて、カッタースライドベースにカッター刃を有するカッター刃レバーがスプリングと共に葉動自在に装着されている。
【００３６】
補助ローラー支持アームにブレーキデスクリング が貫通する補助ローラー支持アームリングが形成され、上下の補助ローラー支持アームの間に補助ローラー軸が設けられ、補助ローラー軸に補助ローラーが装着されて、カッター支持アームにローラーと補助ローラーの距離を保持する為のストッパーボタンが設けられている。
【００３７】
カッター支持アームリングと補助ローラー支持アームリングが接する面のカッター支持アームリングと補助ローラー支持アームリングにスプリングスペースが設けられ、ブレーキデスクリング にアームスプリングが装着され、アームスプリングの一端はカッター支持アームリングに他端は補助ローラー支持アームリングに係止されている。
【００３８】
リフトハンドルは、上下の紙管支持ベースにリフトハンドルベースの両端が固定装着されていて、リフトハンドルベースにブレーキレバーが装着され、上下のブレーキベルトを繋ぐジョイントベルトが設けられている。
【００３９】
本発明５のストレッチフィルム操作具は、紙管にストレッチフィルムを巻き付けた巻きストレッチフィルムを装着して使用するストレッチフィルム操作具であって、ストレッチフィルム操作具は、は紙管支持具と回転カッターとハンドルの構成から成っている。
【００４０】
回転カッターは、ブレーキ管から水平方向に伸びるカッター刃アームが形成され、カッター刃アームから上に伸びるローラー軸とカッター刃軸が並んで形成され、ローラー軸の端にローラー脱落防止めフック設けられ、ローラー軸にローラーがカッター刃軸にカッター刃が装着されていて、ブレーキ管にブレーキパット装着穴が設けられていて、ブレーキパット装着穴にブレーキパットが挿入してあり、ブレーキパットはスプリングで押さえられている。
【００４１】
紙管支持具は、上端から下端迄伸びる回転軸の中央部にブレーキデスクリングが形成され、ブレーキ管に回転軸が貫通しブレーキデスクリングに並んで回転軸にブレーキ管が装着されていて、回転軸の上部に紙管支持ドラムの移動を防止する為の紙管支持ドラム移動防止め輪と、回転軸の上端に紙管支持ドラム脱落止めフックが形成され、紙管支持ドラム脱落止めフックと紙管支持ドラム移動防止め輪の間の回転軸に開口部が形成されていて、紙管支持ドラムに開口部の形状を反映した突起が設けてあって、紙管支持ドラムの表面に紙管脱落止め突起が形成され、切り込みが設けられている。
【００４２】
回転軸の中央部にグリップの移動防の為のグリップ移動止め輪と、回転軸の下端にグリップ脱落止めのグリップフックが形成され、グリップに回転軸が貫通すると共にグリップ移動止め輪とグリップフックの間にグリップが回転自在に装着されていて、グリップの上端にブレーキ板が固定装着されていて、ブレーキ板に紙管コントロール突起と回転カッター止め突起を設けている。
【００４３】
前記のグリップは、グリップが上に延長され回転軸を貫通している形状でであって、上端から中間部迄伸びる回転軸の下部にブレーキデスクリングが形成され、ブレーキ管に回転軸が貫通し、ブレーキデスクリングに並んで回転軸にブレーキ管が装着されていて、回転軸に突起が形成され、紙管支持ドラムに突起の形状を反映した開口部が設けてあって、開口部に突起がはまって、回転軸と紙管支持ドラムは一体となっていて、紙管支持ドラムの表面に紙管脱落止め突起が形成され、切り込みが設けられている。
【００４４】
グリップの中央部から上は回転軸を貫通して、グリップの上端に回転軸脱落止めフックが設けられて、一体の回転軸と紙管支持ドラムはグリップを軸として回転自在に成っていて、グリップの中央部にブレーキ板が固定装着されていて、ブレーキ板に紙管コントロール突起と回転カッター止め突起を設けている。
【発明の効果】
【００４５】
以下図面に基づき説明する。
本発明１、図１−図５符合１−符合２４のストレッチフィルム操作具(３)は、紙管装着管(１４)には、紙管(１)に挿入される部分に複数のタイト隆起(１８)が形成されていることにおいて、紙管装着管(１４)と複数のタイト隆起(１８)により紙管装着管(１４)と紙管(１)は一体に成って回転出来て、紙管装着管(１４)の一部は紙管(１)の内径より太い形状の紙管止め(１９)に成っていて、紙管装着管(１４)の一端は回転カッター脱落止めリング(２０)に成っていることにおいて、紙管装着管(１４)を紙管(１) への挿入は、紙管止め(１９)の段差位置で止まってブレーキ管(６)を紙管(１)の一端と回転カッター脱落止めリング(２０)の間の位置にとどめてブレーキ管(６)の左右への移動を制限している。
【００４６】
紙管装着管受け軸(１６)とグリップ(１５)の結合部にブレーキ板(２１)と回転カッター移動止め(２２)が固定装着されていて、ブレーキ板(２１)に紙管コントロール突起(２３)と回転カッター止め突起(２４)を設けていて、紙管装着管受け軸(１６)は紙管装着管(１４)を貫通し紙管装着管(１４)を回転自在に装着していることにおいて、ブレーキ板(２１)を強く押して紙管装着管(１４)に紙管コントロール突起(２３)を押し付ける、と共に、ブレーキ管(６)に回転カッター止め突起(２４)を押し付けてカッター刃(８)でストレッチフィルム（２）を切断出来る。
【００４７】
回転カッター(５)は、左右のブレーキ管(６)にカッター刃アーム(７)が形成され、左右のカッター刃アーム(７)の間にカッター刃(８)が設けてあり、左右のカッター刃アーム(７)の間にローラー(９)を貫通したローラー軸(１０)が装着されていて、左右のブレーキ管(６)にブレーキパット装着穴(１１)が設けられていて、ブレーキパット装着穴(１１)にブレーキパット(１２)が挿入してあり、ブレーキパット(１２)はスプリング(１３)で押さえられていることにおいて、ブレーキパット(１２)と紙管装着管(１４)の間のブレーキ摩擦により回転カッター(５)と紙管装着管(１４)は伴って回ることと個々に回ることの両者が出来る。
【００４８】
本発明２、図６−図１０符合５１−符合７４のストレッチフィルム操作具(５３)は、紙管(５１)にストレッチフィルム（５２）を巻き付けた巻きストレッチフィルム(５２)を装着して使用するストレッチフィルム操作具(５３)であって、紙管支持具(５４)と回転カッター(５５)から成っていて、紙管支持具(５４)は紙管装着軸(５６)とグリップ(５７)が一体に成形されていて、紙管装着軸(５６)は、紙管装着軸(５６)の一端より二つに割れて、割れた端に紙管脱落止め(５８)を形成して、紙管装着軸(５６)とグリップ(５７)との結合部にブレーキ板(５９)が紙管装着軸(５６)に固定装着されていて、ブレーキ板(５９)に紙管コントロール突起(６０)と回転カッター止め突起(６１)を設けていることにおいて、ブレーキ板(５９)を押して紙管(５１)に紙管コントロール突起(６０)を押し当てて紙管(５１)の回転を制御出来る、と共に、ブレーキ管(６２)に回転カッター止め突起(６１)を押し当ててブレーキ管(６２)の回転を制御出来る。
【００４９】
回転カッター(５５)は、紙管(５１)が貫通するブレーキ管(６２)の一端から横向きにカッター刃アーム(６３)を形成して、カッター刃アーム(６３)から上向きに伸びるカッター刃(６４)が形成されて、カッター刃(６４)の一端にローラー軸アーム(６５)が設けられていていることにおいて、カッター刃アーム(６３)とローラー軸アーム(６５)にローラー軸(６６)を装着する為の穴(６７)を設けてカッター刃アーム(６３)とローラー軸アーム(６５)の間にローラー(６８) を貫通したローラー軸(６６)を装着することが出来る。
【００５０】
ブレーキ管(６２)にブレーキパット装着穴(６９)を設けて、ブレーキパット装着穴(６９)にブレーキパットスプリング(７０)を有するブレーキパット(７１)が装着されていることにおいて、紙管(５１)の回転によりブレーキパット(７１)と紙管(５１)との摩擦によって紙管(５１)とブレーキ管(６２)を同時に回転させる事ができ、又紙管(５１)とブレーキ管(６２)を個々に回転させることが出来る。
【００５１】
スペイサー(７２)が紙管装着軸(５６)に装着され、スペイサー(７２)にスペイサー(７２)から横に伸びる補助アーム(７３)が形成されていて、補助アーム(７３)にローラー軸アームカバー(７４)が設けられていることにおいて、スペイサー(７２)は、紙管装着軸(５６)に対してストレッチフィルム（５２）が巻かれた紙管(５１)の位置と回転カッター(５５)の位置を安定させる事ができる。
【００５２】
本発明３、図１１−図１６符合１０１−符合１３７のストレッチフィルム操作具(１０３)は、紙管(１０１)にストレッチフィルム（１０２）を巻き付けた巻きストレッチフィルム(１０２)を装着して使用するストレッチフィルム操作具(１０３)であって、左右の紙管操作グリップ(１０４)と紙管支持具(１０５)とリフトハンドル(１０６)と回転カッター(１０７)から成っていて、回転カッター(１０７)は、左右のブレーキパット装着管(１０８)に設けられた左右のカッター刃アーム(１０９)の間にカッター刃(１１０)と、ローラー(１１１)を貫通したローラー軸(１１２)が装着され、左右のブレーキパット装着管(１０８)にブレーキパット装着穴(１１３)が形成されていて、ブレーキパット装着穴(１１３)にブレーキパット(１１４)が挿入して有り、ブレーキパット(１１４)をスプリン(１１５)で押さえていることにおいて、ストレッチフィルム（１０２）を所望する物に巻き付け始めると紙管(１０１)と紙管装着軸(１３１)と補助紙管装着軸(１３２)が一体に回転する、と共に、紙管装着軸(１３１)と補助紙管装着軸(１３２)の両者と、ブレーキパット(１１４)の摩擦により回転カッター(１０７)も紙管(１０１)と同時に回ってストレッチフィルム（１０２）とローラー(１１１)が接触すると、紙管装着軸(１３１)と補助紙管装着軸(１３２)の両者と、とブレーキパット(１１４)は滑ってストレッチフィルム（１０２）とローラー(１１１)の接触は保持される。
【００５３】
左右のブレーキパット装着管(１０８)に溝(１１６)が形成され、左右の紙管操作グリップ(１０４)にフック(１１９)が設けられていることにおいて、溝(１１６)にフック(１１９)を嵌めて有り紙管操作グリップ(１０４)に対して回転カッター(１０７)は回転自在に成っている。
【００５４】
左右の紙管操作グリップ(１０４)には紙管操作グリップベース(１１７)にブレーキ帯(１２０)が設けてあって、ブレーキ帯(１２０)は二股に分かれて、分かれたブレーキ帯(１２０)の両者の端はブレーキボタン(１２１)を貫通して紙管操作グリップベース(１１７)に留めてあることにおいて、ブレーキ帯(１２０)は外に広がるスプリング効果となってブレーキボタン(１２１)と、紙管装着軸(１３１)と補助紙管装着軸(１３２)との間隔は保持されている。
【００５５】
紙管装着軸(１３１)と補助紙管装着軸(１３２)に紙管操作グリップ脱落止め内リング(１３３)が形成されていて、左右の紙管操作グリップベース(１１７)に紙管操作グリップ脱落止外リング(１２２)が設けられていて、紙管操作グリップベース(１１７)にグリップベースカバーホール(１２３)が設けてあって、グリップベースカバー(１１８)にジョイントフック(１２４)が形成されていて、グリップベースカバーホール(１２３)にジョイントフック(１２４)が係止され、紙管操作グリップ脱落止め内リング(１３３)はグリップベースカバー(１１８)と紙管操作グリップ脱落止外リング(１２２)の間に成っていることにおいて、紙管装着軸(１３１)と補助紙管装着軸(１３２)の左右のずれが制限されている。
【００５６】
リフトハンドル(１０６)の左右に、左右の紙管操作グリップ(１０４)が固定されていて、リフトハンドル(１０６)に装着されたリフトハンドルブレーキ(１２６)は、ブレーキレバー(１２７)とブレーキ帯リフトバー(１２８)と支店軸(１２９)とブレーキ帯装着穴(１３０)で構成されていて、ブレーキ帯(１２０)はブレーキ帯装着穴(１３０)を貫通していて、リフトハンドルブレーキ(１２６)に設けられたブレーキ帯(１２０)と紙管操作グリップベース(１１７)のブレーキ帯(１２０)は一体になっていることにおいて、ブレーキレバー(１２７)を操作してリフトハンドルベース(１２５)からブレーキ帯リフトバー(１２８)でブレーキ帯(１２０)を離してブレーキボタン(１２１)を紙管装着軸(１３１)と補助紙管装着軸(１３２)に押し当てる事が出来る。
【００５７】
リフトハンドル(１０６)にブレーキ負荷調整ボタン(１３６)を装着する為にリフトハンドルベース(１２５)の一部を凹ましてあり、凹ましたリフトハンドルベース(１２５)の左右の内面とブレーキ負荷調整ボタン(１３６)の左右面は波形状で擦れ合っていて、ブレーキ帯(１２０)がブレーキ負荷調整ボタン(１３６)に設けられたブレーキ帯貫通穴(１３７)を貫通していることにおいて、ブレーキ負荷調整ボタン(１３６)を凹みから出し戻しの移動によりブレーキ帯(１２０)を緊張と緩和をさせてブレーキボタン(１２１)と、紙管装着軸(１３１)と補助紙管装着軸(１３２)との摩擦を調整していて、又、紙管装着軸(１３１)を補助紙管装着軸(１３２)と同様の形状にして、紙管装着軸(１３１)と補助紙管装着軸(１３２)をシャフトとナットで繋ぐことにおいて、紙管(５１)脱着の際に紙管装着軸(１３１)と補助紙管装着軸(１３２)の左右への広がりを左右の紙管操作グリップ(１０４)内でおさめることが出来て、紙管装着軸(１３１)と補助紙管装着軸(１３２)を左右の紙管操作グリップ(１０４)から外すことなしに紙管(５１)の取り換えが出来る。
【００５８】
本発明４、図１７−図２３符合１５１−符合１８２のストレッチフィルム操作具(１５１)は、上下のブレーキデスクリング (１５８)に紙管支持ドラムジョイント板(１６１)が形成され、紙管支持ドラム(１６２)の一部はドラムジョイント板(１６２)の内面の形状を反映した形状であって、紙管支持ドラムジョイント板(１６１)にジョイントフックホール(１６４)が設けられ、紙管支持ドラム(１６２)にジョイントフック(１６５)が設けられていることにおいて、紙管(１５２)の両端に紙管支持ドラム(１６２)を挿入して、紙管支持ドラムジョイント板(１６１)に紙管支持ドラム(１６２)を押し込んでジョイントフックホール(１６４)にジョイントフック(１６５)を係止する事が出来る。
【００５９】
紙管支持ドラムジョイント板(１６１)の一部はスプリング(１６３)に成っていることにおいて、ジョイントフックホール(１６４)とジョイントフック(１６５)の係止を解く際にスプリング(１６３)に紙管支持ドラム(１６２)が押されて紙管支持ドラムジョイント板(１６１)から紙管支持ドラム(１６２)が飛び出して巻きストレッチフィルム(１５３)の取り外しが容易に出来る。
【００６０】
ブレーキデスクリング(１５８)の周囲にブレーキベルト(１６０)が設けてあって、ブレーキベルト(１６０)の端は紙管支持ベース(１５７)に留められていて、リフトハンドルベース(１８０)の両端は紙管支持ベース(１５７)に固定装着されていて、リフトハンドルベース(１８０)にブレーキレバー(１８１)が装着され、上と下のブレーキベルト(１６０)を繋ぐジョイントベルト(１８２)が設けられていることにおいて、ブレーキレバー(１８１)を押して巻きストレッチフィルム(１５３)の回転を操作出来る。
【００６１】
回転カッター(１５６)は、カッター支持アーム(１６６)にブレーキデスクリング (１５８)が貫通するカッター支持アームリング(１６７)が形成され、上下のカッター支持アーム(１６６)の間にカッタースライドバー(１６８)とローラー軸(１６９)が装着され、カッタースライドバー(１６８)にカッタースライドベース(１７０)がローラー軸(１６９)にローラー(１７１)が装着されていて、補助ローラー支持アーム(１７４)にブレーキデスクリング (１５８)が貫通する補助ローラー支持アームリング(１７５)が形成され、上下の補助ローラー支持アームリング(１７５)の間に補助ローラー軸(１７６)が設けられ、補助ローラー軸(１７６)に補助ローラー(１７７)が装着されていて、カッター支持アーム(１６６)に補助ローラー支持アーム(１７４)ストッパーボタン(１７８)が設けられていることにおいて、平面にストレッチフィルム操作具(１５１)の正面を下にして置いて、一方手でカッタースライドバー(１６８)を押さえて他方の手で補助ローラー(１７７)を引き上げるとストッパーボタン(１７８)によりローラー(１７１)と補助ローラー(１７７)の開いた状態を保持できて、ローラー(１７１)と補助ローラー(１７７)の間にストレッチフィルム(１５３)の端を通す事が出来る。
【００６２】
カッタースライドバー(１６８)にカッタースライドベース(１７０)が装着されて、カッタースライドベース(１７０)にカッター刃(１７２)を有するカッター刃レバー(１７３)がスプリングと共に装着されていることにおいて、カッター刃レバー(１７３)を押しカッタースライドベース(１７０)をスライドしてストレッチフィルム(１５３)を切断出来る。
【００６３】
補助ローラー軸(１７６)と補助ローラー(１７７)、又は、ローラー軸(１６９)とローラー(１７１)にラチェト機能を設けることにおいて、ストレッチフィルム(１５３)の巻き戻りの防止が出来る。
【００６４】
本発明５、図２４−図３０符合２０１−符合２４３のストレッチフィルム操作具(２０１)は、回転軸(２１７)の上部に紙管支持ドラム(２１９)の移動を防止する為の紙管支持ドラム移動止輪(２２０)と、回転軸(２１７)の上端に紙管支持ドラム脱落止めフック(２２１)が形成され、紙管支持ドラム脱落止めフック(２２１)と紙管支持ドラム移動止め輪(２２０)の間の回転軸(２１７)に開口部(２２２)が設けてあって、紙管支持ドラム(２１９)に開口部(２２２)の形状を反映した突起 (２２３)が形成されて、紙管支持ドラム脱落止めフック(２２１)と紙管支持ドラム移動止め輪(２２０)の間の回転軸(２１７)に紙管支持ドラム(２１９)が装着されていることにおいて、開口部(２２２)に突起(２２３)がはまって回転軸(２１７)と紙管支持ドラム(２１９)は一体に回転する。
【００６５】
ブレーキ管(２０７)がカッター刃アーム(２０８)から上下に伸びて、ブレーキ管(２０７)がカッター刃アーム(２０８)より紙管支持ドラム(２１９)の中まで伸びていることにおいて、回転カッター(２０５)が回転する際の振れを小さく出来る。
【００６６】
ブレーキ管(２０７)に回転軸(２１７)が貫通しブレーキデスクリング(２１８)に並んで回転軸(２１７)にブレーキ管(２０７)が装着されていて、ブレーキ管(２０７)にブレーキパット装着穴(２１４)が設けられていて、ブレーキパット装着穴(２１４)にブレーキパット(２１５)が挿入してあり、ブレーキパット(２１５)はスプリング(２１６)で押さえられていることにおいて、ストレッチフィルム(２０３)を所望の物に巻き付けストレッチフィルム(２０３)が引き出されるとブレーキパット(２１５)と回転軸(２１７)の摩擦のより回転軸(２１７)に付いて回転カッター(２０５)を回転する事が出来る、と共に、ローラー(２１２)がストレッチフィルム(２０３)に接触後はブレーキパット(２１５)と回転軸(２１７)の接触は滑ってストレッチフィルム(２０３)とローラー(２１２)の接触を保つことが出来る。
【００６７】
回転軸(２１７)の中央部にグリップ(２２６)の移動防止のグリップ移動止め輪(２２７)と、回転軸(２１７)の下端にグリップ(２２６)脱落止めのグリップフック(２２８)が形成され、グリップ(２２６)に回転軸(２１７)が貫通すると共にグリップ移動止め輪(２２７)とグリップフック(２２８)の間にグリップ(２２６)が装着されていて、グリップ(２２６)の上端にブレーキ板(２２９)が固定装着されていて、ブレーキ板(２２９)に紙管コントロール突起(２３０)と回転カッター止め突起(２３１)を設けていることにおいて、ブレーキ板(２２９)を押して紙管コントロール突起(２３０)をブレーキデスクリング(２１８)に又、回転カッター止め突起(２３１)をブレーキ管(２０７)に押し当て回転カッター(２０５)の回転を止めてカッター刃(２１３)でストレッチフィルム(２０３)を切断できる。
【図面の簡単な説明】
【００６８】
【図１】紙管支持具(４)と回転カッター(５)の左側面図。
【図２】切断線A−A線を示す紙管支持具(４)と回転カッター(５)の正面図。
【図３】図２のA−A線切断部端面図。
【図４】紙管支持具(４)と回転カッター(５)の平面図。
【図５】紙管支持具(４)と回転カッター(５)の底面図
【図６】紙管支持具(５４)と回転カッター(５５)の左側面図。
【図７】切断線B−B線を示す紙管支持具(５４)と回転カッター(５５)の正面図。
【図８】図６のB−B線切断部端面図。
【図９】紙管支持具(５４)と回転カッター(５５)の平面図。
【図１０】紙管支持具(５４)と回転カッター(５５)の底面図。
【図１１】切断線C−C線と切断線D−D線を示す紙管操作グリップ(１０４)と紙管支持具(１０５)とリフトハンドル(１０６)と回転カッター(１０７)の正面図。
【図１２】紙管操作グリップ(１０４)と紙管支持具(１０５)とリフトハンドル(１０６)と回転カッター(１０７)の背面図。
【図１３】紙管操作グリップ(１０４)と紙管支持具(１０５)とリフトハンドル(１０６)と回転カッター(１０７)の平面図。
【図１４】紙管操作グリップ(１０４)と紙管支持具(１０５)とリフトハンドル(１０６)と回転カッター(１０７)の右側面図。
【図１５】図１１の切断線C−C線切断部端面図。
【図１６】図１１の切断線D−D線切断部端面図。
【図１７】切断線E−E線と切断線F−F線を示すストレッチフィルム操作具(１５１)の正面図。
【図１８】ストレッチフィルム操作具(１５１)の右側面図。
【図１９】ストレッチフィルム操作具(１５１)の左側面図。
【図２０】切断線G−G線を示すストレッチフィルム操作具(１５１)の平面図。
【図２１】図２０の切断線G−G線切断部端面図。
【図２２】図１７の切断線F−F線切断部端面図。
【図２３】図１７の切断線E−E線切断部端面図。
【図２４】ストレッチフィルム操作具(２０１)の正面図。
【図２５】ストレッチフィルム操作具(２０１)の右側面図。
【図２６】ストレッチフィルム操作具(２０１)の左側面図。
【図２７】切断線H−H線を示すストレッチフィルム操作具(２０１)の平面図。
【図２８】図２７のH−H線切断部端面図。
【図２９】紙管支持ドラム(２１９)の正面図。
【図３０】グリップの中央部から上は回転軸を貫通している場合の図２７のH−H線切断部端面図。
【発明を実施するための形態】
【００６９】
以下図面に基づき説明する。
本発明１、図１−図５符合１−符合２４のストレッチフィルム操作具(３)は、紙管(１)にストレッチフィルム(２)を巻き付けた巻きストレッチフィルム(２)を装着して使用するストレッチフィルム操作具(３)であって紙管支持具(４)と回転カッター(５)から成っている。
【００７０】
回転カッター(５)は、左右のブレーキ管(６)にカッター刃アーム(７)が形成され、左右のカッター刃アーム(７)の間にカッター刃(８)が設けてあり、左右のカッター刃アーム(７)の間にローラー(９)を貫通したローラー軸(１０)が装着されていて、左右のブレーキ管(６)にブレーキパット装着穴(１１)が設けられていて、ブレーキパット装着穴(１１)にブレーキパット(１２)が挿入してあり、ブレーキパット(１２)はスプリング(１３)で押さえられている。
【００７１】
紙管支持具(４)は、紙管装着管(１４)と、グリップ(１５)と、紙管装着管受け軸(１６)の構成であって、紙管装着管受け軸(１６)とグリップ(１５)は一体に形成されて、紙管装着管受け軸(１６)の一端は二つに分かれていて、割れた端に紙管装着管脱落止め(１７)を形成している。
【００７２】
紙管装着管(１４)には、紙管(１)に挿入される部分に複数のタイト隆起(１８)が形成され、紙管装着管(１４)の一部は紙管(１)の内径より太い形状の紙管止め(１９)に成っていて、紙管装着管(１４)の一端は回転カッター脱落止めリング(２０)に成っていて、紙管装着管(１４)は紙管(１)と、回転カッター(５) 左右のブレーキ管(６)を貫通している。
【００７３】
紙管装着管受け軸(１６)とグリップ(１５)の結合部にブレーキ板(２１)と回転カッター移動止め(２２)が固定装着されていて、ブレーキ板(２１)に紙管コントロール突起(２３)と回転カッター止め突起(２４)を設けていて、紙管装着管受け軸(１６)は紙管装着管(１４)を貫通し紙管装着管(１４)を回転自在に装着している。
【００７４】
ストレッチフィルム操作具（３）への巻きストレッチフィルム（２）の装着方法は、紙管装着管(１４)を一方のブレーキ管(６)を通し次に紙管(１)に挿入してから他方のブレーキ管(６)を通して、巻きストレッチフィルム(２)と回転カッター(５)の装着された紙管装着管(１４)に紙管装着管受け軸(１６)を挿入する。
【００７５】
紙管(１)に巻き付けたストレッチフィルム(２)を装着して使用するストレッチフィルム操作具(３)の使用方法は、一方の手でストレッチフィルム操作具(３)のグリップ(１５)を握って他方の手で所望する製品とストレッチフィルム（２）を押さえて製品にストレッチフィルム(２)を巻き付ける際に、ブレーキ板(２１)を軽く指で押さえて、ブレーキ板(２１)に設けた紙管コントロール突起(２３)と紙管装着管(１４)を適宜に接触させ製品にストレッチフィルム(２)を巻き付け始めると紙管(１)と紙管装着管(１４)が一体に回転する、と共に、回転カッター(５)が紙管(１)と紙管装着管(１４)と共に回転してローラー(９)がストレッチフィルム(２)に接触する。
【００７６】
ローラー(９)がストレッチフィルム(２)に接触すると共にブレーキパット(１２)と紙管装着管(１４)との接触部は滑りながらストレッチフィルム(２)とローラー(９)の接触は保持されていて、製品にストレッチフィルム(２)を巻き終えてから、ブレーキ板(２１)を指で強く押さえると共に紙管コントロール突起(２３)が紙管装着管(１４)の回転を止め回転カッター止め突起(２４)がブレーキ管(６)に強く当たってブレーキ管(６)の回転を止めて、ストレッチフィルム(２)を引き伸ばしてストレッチフィルム(２)をカッター刃(８)で切断すると、伸びて縮んだストレッチフィルム（２）の一端が製品と巻きストレッチフィルム(２)の両者にちじれた状態で残って居て次にストレッチフィルム（２）端を容易に取り出せる。
【００７７】
本発明２、図６−図１０符合５１−符合７４のストレッチフィルム操作具(５３)は、紙管(５１)にストレッチフィルム(５２)を巻き付けた巻きストレッチフィルム(５２)を装着して使用するストレッチフィルム操作具(５３)であって、紙管支持具(５４)と回転カッター(５５)から成っていて、紙管支持具(５４)は紙管装着軸(５６)とグリップ(５７)が一体に成形されていて、紙管装着軸(５６)は、紙管装着軸(５６)の一端より二つに割れて、割れた端に紙管脱落止め(５８)を形成して、紙管装着軸(５６)とグリップ(５７)との結合部にブレーキ板(５９)が紙管装着軸(５６)に固定装着されていて、ブレーキ板(５９)に紙管コントロール突起(６０)と回転カッター止め突起(６１)を設けている。
【００７８】
回転カッター(５５)は、紙管(５１)が貫通するブレーキ管(６２)の一端から横向きにカッター刃アーム(６３)を形成してカッター刃アーム(６３)から上向きに伸びるカッター刃(６４)が形成されて、カッター刃(６４)の一端にローラー軸アーム(６５)が設けられていて、カッター刃アーム(６３)とローラー軸アーム(６５)にローラー軸(６６)を装着する為の穴(６７)が設けて有りカッター刃アーム(６３)とローラー軸アーム(６５)の間にローラー(６８) を貫通したローラー軸(６６)が設けられている。
【００７９】
ブレーキ管(６２)にブレーキパット装着穴(６９)を設けて、ブレーキパット装着穴(６９)にブレーキパットスプリング(７０)を有するブレーキパット(７１)が装着されている。
【００８０】
ストレッチフィルム（５２）が巻かれた紙管(５１)の位置を安定させる為のスペイサー(７２)が紙管装着軸(５６)に装着され、スペイサー(７２)にスペイサー(７２)から横に伸びる補助アーム(７３)が形成されていて、補助アーム(７３)にローラー軸アームカバー(７４)が設けられている。
【００８１】
ストレッチフィルム操作具（５３）の操作方法は、巻きストレッチフィルム（５２）を最後まで使用した紙管(５１)の取替方法は、紙管装着軸(５６)の一端より二つに割れて設けられた紙管脱落止め(５８)を中央に寄せて、紙管装着軸(５６)よりスペイサー(７２)を引き抜くと共に補助アーム(７３)に設けられたローラー軸アームカバー(７４)がローラー軸アーム(６５)より外れて、外れてから紙管装着軸(５６)より紙管(５１)を引き抜く。
【００８２】
紙管(５１)に巻き付けたストレッチフィルム(５２)を装着して使用するストレッチフィルム操作具(５３)の使用方法は、一方の手でストレッチフィルム操作具(５３)のグリップ(５７)を握って他方の手で所望する製品を押さえて製品にストレッチフィルム(５２)を巻き付ける際に、ブレーキ板(５９)を軽く指で押さえて、ブレーキ板(５９)に設けた紙管コントロール突起(６０)と紙管(５１)とを適宜に接触させ製品にストレッチフィルム(５２)を巻き付け始めると紙管(５１)が回転する、と共に回転カッター(５５)が紙管(５１)共に回転してローラー(６８)がストレッチフィルム(５２)に接触する。
【００８３】
ローラー(６８)がストレッチフィルム(５２)に接触すると共にブレーキパット(７１)と紙管(５１)との接触部は滑りながらストレッチフィルム(５２)とローラー(６８)の接触は保持されていて、製品にストレッチフィルム(５２)を巻き終えてから、ブレーキ板(５９)を指で強く押さえると共に紙管コントロール突起(６０)が紙管(５１)の回転を止め回転カッター止め突起(６１)がブレーキ管(６２)に強く当たってブレーキ管(６２)の回転を止めて、ストレッチフィルム(５２)を引き伸ばしてストレッチフィルム(５２)をカッター刃(６４)で切断すると、伸びて縮んだストレッチフィルム（５２）端が製品と巻きストレッチフィルム(５２)の両者にちじれた状態で残って居て次にストレッチフィルム（５２）端を容易に取り出せる。
【００８４】
本発明３、図１１−図１６符合１０１−符合１３７のストレッチフィルム操作具(１０３)は、紙管(１０１)にストレッチフィルム(１０２)を巻き付けた巻きストレッチフィルム(１０２)を装着して使用するストレッチフィルム操作具(１０３)であって、左右の紙管操作グリップ(１０４)と紙管支持具(１０５)とリフトハンドル(１０６)と回転カッター(１０７)から成っている。
【００８５】
回転カッター(１０７)は、左右のブレーキパット装着管(１０８)に設けられた左右のカッター刃アーム(１０９)の間にカッター刃(１１０)と、ローラー(１１１)を貫通したローラー軸(１１２)が装着され、左右のブレーキパット装着管(１０８)にブレーキパット装着穴(１１３)が形成されていて、ブレーキパット装着穴(１１３)にブレーキパット(１１４)が挿入して有り、ブレーキパット(１１４)をスプリン(１１５)で押さえてあって、ブレーキパット装着管(１０８)に紙管操作グリップ(１０４)と回転カッター(１０７)を繋ぐ為の溝(１１６)が形成されている。
【００８６】
左右の紙管操作グリップ(１０４)は、紙管操作グリップベース(１１７)とグリップベースカバー(１１８)で構成されて、紙管操作グリップ(１０４)と回転カッター(１０７)を繋ぐ為のフック(１１９)が形成して有り溝(１１６)にフック(１１９)が嵌っていて、左右の紙管操作グリップ(１０４)には紙管操作グリップベース(１１７)にブレーキ帯(１２０)が設けてあって、ブレーキ帯(１２０)は二股に分かれて、分かれたブレーキ帯(１２０)の両者の端はブレーキボタン(１２１)を貫通して紙管操作グリップベース(１１７)に係止されていて、紙管操作グリップベース(１１７)に紙管操作グリップ脱落止外リング(１２２)とグリップベースカバーホール(１２３)が設けられていて、グリップベースカバー(１１８)にジョイントフック(１２４)が形成されていて、グリップベースカバーホール(１２３)にジョイントフック(１２４)が係止されている。
【００８７】
リフトハンドル(１０６)は、リフトハンドルベース(１２５)の左右に、左右の紙管操作グリップベース(１１７)が固定されていて、リフトハンドルベース(１２５)に装着されたリフトハンドルブレーキ(１２６)は、ブレーキレバー(１２７)とブレーキ帯リフトバー(１２８)と始点軸(１２９)とブレーキ帯装着穴(１３０)で構成されていて、ブレーキ帯(１２０)はブレーキ帯装着穴(１３０)を貫通していて、リフトハンドルベース(１２５)に設けられたブレーキ帯(１２０)と紙管操作グリップベース(１１７)のブレーキ帯(１２０)は一体になっている。
【００８８】
紙管支持具(１０５)は、紙管装着軸(１３１)と補助紙管装着軸(１３２)により構成されて、紙管装着軸(１３１)の一端に紙管操作グリップ脱落止め内リング(１３３)と他端に雄螺子(１３４)が形成されていて、補助紙管装着軸(１３２)の一端に紙管操作グリップ脱落止内リング(１３３)と他端は雄螺子(１３４)が貫通する形状に成っていて、紙管装着軸(１３１)と補助紙管装着軸(１３２)により紙管(１０１)を左右から支持し、雄螺子(１３４)にナット(１３５)を用いて紙管(１０１)を左右から締め付けている。
【００８９】
リフトハンドル(１０６)にブレーキ負荷調整ボタン(１３６)を装着する為にリフトハンドルベース(１２５)の一部を凹ましてあり、凹ましたリフトハンドルベース(１２５)の左右の内面とブレーキ負荷調整ボタン(１３６)の左右面は波形状であって、ブレーキ帯(１２０)がブレーキ負荷調整ボタン(１３６)に設けられたブレーキ帯貫通穴(１３７)を貫通している。
【００９０】
巻きストレッチフィルム(１０２)をストレッチフィルム操作具（１０３）への装着方法は、紙管装着軸(１３１)と補助紙管装着軸(１３２)を左右の紙管操作グリップ(１０４)の間の幅に広げて、左右の紙管操作グリップ(１０４)の間に紙管(１０１)を挟んで紙管(１０１)の左右から紙管装着軸(１３１)と補助紙管装着軸(１３２)を挿入して左右から雄螺子(１３４)にナット(１３５)を用いて紙管(１０１)を左右から締め付けて、左右の紙管操作グリップベース(１１７)のグリップベースカバーホール(１２３)に左右のグリップベースカバー(１１８)のジョイントフック(１２４)を引っ掛けて使用可能状態になる。
【００９１】
巻きストレッチフィルム(１０２)が装着されたストレッチフィルム操作具（１０３）の使用方法は、所望する製品にストレッチフィルム(１０２)を巻き付け始めると紙管(１０１)と紙管装着軸(１３１)と補助紙管装着軸(１３２)が一体に回転する、と共に、ブレーキパット(１１４)と、紙管装着軸(１３１)と補助紙管装着軸(１３２)の摩擦力により回転カッター(１０７)も紙管装着軸(１３１)と補助紙管装着軸(１３２)に伴って回りローラー(１１１)がストレッチフィルム（１０２）に接触する、と共に、ブレーキパット(１１４)と、紙管装着軸(１３１)と補助紙管装着軸(１３２)は滑って所望する製品にストレッチフィルム(１０２)を巻き付ける間はローラー(１１１)とストレッチフィルム（１０２）の接触は保持されていて、ストレッチフィルム（１０２）を所望する製品に巻き終えてからブレーキボタン(１２１)又はブレーキレバー(１２７)を押さえてからカッター刃(１１０)でストレッチフィルム（５２）を切断出来る。
【００９２】
本発明４、図１７−図２３符合１５１−符合１８２のストレッチフィルム操作具(１５１)は、紙管(１５２)にストレッチフィルム(１５３)を巻き付けた巻きストレッチフィルム(１５３)を装着して使用するストレッチフィルム操作具(１５１)であって、紙管支持具(１５４)とリフトハンドル(１５５)と回転カッター(１５６)から成っている。
【００９３】
紙管支持具(１５４)は、上下の紙管支持ベース(１５７)にブレーキデスクリング (１５８)を留める為のブレーキデスクリングフック(１５９)が設けられ、ブレーキデスクリング (１５８)がブレーキデスクリングフック(１５９)により紙管支持ベース(１５７)に留まって、ブレーキデスクリング (１５８)は回転自在であって、ブレーキデスクリング(１５８)周囲にブレーキベルト(１６０)が設けてあって、ブレーキベルト(１６０)の端は紙管支持ベース(１５７)に留められている。
【００９４】
上下のブレーキデスクリング(１５８)に紙管支持ドラムジョイント板(１６１)が形成され、紙管支持ドラムジョイント板(１６１)の一部は紙管支持ドラム(１６２)を跳ね返す為のスプリング(１６３)に成っていて、紙管支持ドラムジョイント板(１６１)にジョイントフックホール(１６４)と紙管支持ドラム(１６２)にジョイントフック(１６５)が設けられ、ジョイントフックホール(１６４)にジョイントフック(１６５)が係止されている。
【００９５】
回転カッター(１５６)は、カッター支持アーム(１６６)にブレーキデスクリング (１５８)が貫通するカッター支持アームリング(１６７)が形成され、上下のカッター支持アーム(１６６)の間にカッタースライドバー(１６８)とローラー軸(１６９)が装着され、カッタースライドバー(１６８)にカッタースライドベース(１７０)がローラー軸(１６９)にローラー(１７１)が装着されて、カッタースライドベース(１７０)にカッター刃(１７２)を有するカッター刃レバー(１７３)がスプリングと共に葉動自在に装着されている。
【００９６】
補助ローラー支持アーム(１７４)にブレーキデスクリング (１５８)が貫通する補助ローラー支持アームリング(１７５)が形成され、上下の補助ローラー支持アーム(１７４)の間に補助ローラー軸(１７６)が設けられ、補助ローラー軸(１７６)に補助ローラー(１７７)が装着されて、カッター支持アーム(１６６)にローラー(１７１)と補助ローラー(１７７)の距離を保持する為のストッパーボタン(１７８)が設けられている。
【００９７】
カッター支持アームリング(１６７)と補助ローラー支持アームリング(１７５)が接する面のカッター支持アームリング(１６７)と補助ローラー支持アームリング(１７５)にスプリングスペースが設けられ、ブレーキデスクリング (１５８)にアームスプリング(１７９)が装着され、アームスプリング(１７９)の一端はカッター支持アームリング(１６７)に他端は補助ローラー支持アームリング(１７５)に係止されている。
【００９８】
リフトハンドル(１５５)は、上下の紙管支持ベース(１５７)にリフトハンドルベース(１８０)の両端が固定装着されていて、リフトハンドルベース(１８０)にブレーキレバー(１８１)が装着され、上下のブレーキベルト(１６０)を繋ぐジョイントベルト(１８２)が設けられている。
【００９９】
巻きストレッチフィルム(１５３)をストレッチフィルム操作具（１５１）への装着方法は、ストレッチフィルム操作具（１５１）の正面を下にして平らな面に置いて、紙管(１５２)の左右端から紙管支持ドラム(１６２)を押し込んで、左右の紙管支持ドラムジョイント板(１６１)に紙管支持ドラム(１６２)を押し込み、ジョイントフックホール(１６４)にジョイントフック(１６５)を係止させる。
【０１００】
一方手でカッタースライドバー(１６８)を押さえ他方の手で補助ローラー(１７７)を引き上げるとストッパーボタン(１７８)に補助ローラー支持アーム(１７４)が係止して、ローラー(１７１)と補助ローラー(１７７)の開いた状態が保持出来て、ローラー(１７１)と補助ローラー(１７７)の間にストレッチフィルム(１５３)端を通過させ、両社のストッパーボタン(１７８)を外方向に開くとアームスプリング(１７９)によりストレッチフィルム(１５３)はローラー(１７１)と補助ローラー(１７７)で挟まれて使用可能状態になる。
【０１０１】
巻きストレッチフィルム(１５３)が装着されたストレッチフィルム操作具（１５１）の使用方法は、ブレーキレバー(１８１)を押しストレッチフィルム(１５３)の回転を調整して、所望する製品にストレッチフィルム(１５３)の巻き付けが完了した時点でブレーキレバー(１８１)を強く押してストレッチフィルム(１５３)の回転を止め、カッター刃レバー(１７３)を押し、カッタースライドベース(１７０)をスライドするとストレッチフィルム(１５３)は切断出されて、補助ローラー軸(１７６)と補助ローラー(１７７)、又は、ローラー軸(１６９)とローラー(１７１)のラチェト機能によりストレッチフィルム(１５３)の巻き戻りが無くストレッチフィルム(１５３)の端がローラー(１７１)から数センチ出ている。
【０１０２】
本発明５、図２４−図３０符合２０１−符合２４３のストレッチフィルム操作具(２０１)は、紙管(２０２)にストレッチフィルム(２０３)を巻き付けた巻きストレッチフィルム(２０３)を装着して使用するストレッチフィルム操作具（２０１）であって、ストレッチフィルム操作具(２０１)は、は紙管支持具(２０４)と回転カッター(２０５)とハンドル(２０６)の構成から成っている。
【０１０３】
回転カッター(２０５)は、ブレーキ管(２０７)から水平方向に伸びるカッター刃アーム(２０８)が形成され、カッター刃アーム(２０８)から上に伸びるローラー軸(２０９)とカッター刃軸(２１０)が並んで形成され、ローラー軸(２０９)の端にローラー脱落防止めフック(２１１)設けられ、ローラー軸(２０９)にローラー(２１２)がカッター刃軸(２１０)にカッター刃(２１３)が装着されていて、ブレーキ管(２０７)にブレーキパット装着穴(２１４)が設けられていて、ブレーキパット装着穴(２１４)にブレーキパット(２１５)が挿入してあり、ブレーキパット(２１５)はスプリング(２１６)で押さえられている。
【０１０４】
紙管支持具(２０４)は、上端から下端迄伸びる回転軸(２１７)の中央部にブレーキデスクリング(２１８)が形成され、ブレーキ管(２０７)に回転軸(２１７)が貫通しブレーキデスクリング(２１８)に並んで回転軸(２１７)にブレーキ管(２０７)が装着されていて、回転軸(２１７)の上部に紙管支持ドラム(２１９)の移動を防止する為の紙管支持ドラム移動防止め輪(２２０)と、回転軸(２１７)の上端に紙管支持ドラム脱落止めフック(２２１)が形成され、紙管支持ドラム脱落止めフック(２２１)と紙管支持ドラム移動防止め輪(２２０)の間の回転軸(２１７)に開口部(２２２)が形成されていて、紙管支持ドラム(２１９)に開口部(２２２)の形状を反映した突起(２２３)が設けてあって、紙管支持ドラム(２１９)の表面に紙管脱落止め突起(２２４)が形成され、切り込み(２２５)が設けられている。
【０１０５】
回転軸(２１７)の中央部にグリップ(２２６)の移動防の為のグリップ移動止め輪(２２７)と、回転軸(２１７)の下端にグリップ(２２６)脱落止めのグリップフック(２２８)が形成され、グリップ(２２６)に回転軸(２１７)が貫通すると共にグリップ移動止め輪(２２７)とグリップフック(２２８)の間にグリップ(２２６)が回転自在に装着されていて、グリップ(２２６)の上端にブレーキ板(２２９)が固定装着されていて、ブレーキ板(２２９)に紙管コントロール突起(２３０)と回転カッター止め突起(２３１)を設けている。
【０１０６】
図３０に記載のストレッチフィルム操作具(２０１)は、グリップ(２３２)が上に延長され回転軸(２３３)を貫通している形状でであって、上端から中間部迄伸びる回転軸(２３３)の下部にブレーキデスクリング(２３４)が形成され、ブレーキ管(２３５)に回転軸(２３３)が貫通し、ブレーキデスクリング(２３４)に並んで回転軸(２３３)にブレーキ管(２３５)が装着されていて、回転軸(２３３)に突起(２３６)が形成され、紙管支持ドラム(２３７)に突起(２３６)の形状を反映した開口部(２３８)が設けてあって、開口部(２３８)に突起(２３６)がはまって、回転軸(２３３)と紙管支持ドラム(２３７)は一体となっていて、紙管支持ドラム(２３７)の表面に紙管脱落止め突起(２３９)が形成され、切り込みが設けられている。
【０１０７】
グリップ(２３２)の中央部から上は回転軸(２３３)を貫通して、グリップ(２３２)の上端に回転軸(２３２)脱落止めフック(２４０)が設けられて、一体の回転軸(２３３)と紙管支持ドラム(２３７)はグリップ(２３２)の上部を軸として回転自在に成っていて、グリップ(２３２)の中央部にブレーキ板(２４１)が固定装着されていて、ブレーキ板(２４１)に紙管コントロール突起(２４２)と回転カッター止め突起(２４３)を設けている。
【０１０８】
ストレッチフィルム操作具(２０１)への巻きストレッチフィルム(２０３)の装着方法は、紙管(２０２)に紙管支持ドラム(２１９)を押し込む。
【０１０９】
巻きストレッチフィルム(２０３)を装着したストレッチフィルム操作具(２０１)の使用方法は、一方の手でストレッチフィルム操作具(２０１)のグリップ(２２６)を握って他方の手で所望する製品とストレッチフィルム（２０３）を押さえて製品にストレッチフィルム(２０３)を巻き付ける際に、ブレーキ板(２２９)を軽く指で押さえて、ブレーキ板(２２９)に設けた紙管コントロール突起(２３０)とブレーキデスクリング(２１８)を適宜に接触させ製品にストレッチフィルム(２０３)を巻き付け始める。
【０１１０】
製品にストレッチフィルム(２０３)を巻き付け始めると巻きストレッチフィルム(２０３)と回転軸(２１７)が一体に回転して、ブレーキパット(２１５)と回転軸(２１７)の摩擦のより回転カッター(２０５)は回転軸(１１７)に付いて回転する、と共に、ローラー(２１２)がストレッチフィルム(２０３)に接触後はブレーキパット(２１５)と回転軸(２１７)の接触は滑ってストレッチフィルム(２０３)とローラー(２１２)の接触は保たれていて、製品にストレッチフィルム(２０３)の巻き付けを完了させる。
【０１１１】
製品にストレッチフィルム(２０３)の巻き付けを完了させ、ブレーキ板(２２９)を押して紙管コントロール突起(２３０)をブレーキデスクリング(２１８)に、又、回転カッター止め突起(２３１)をブレーキ管(２０７)に押し当て回転カッター(２０５)とストレッチフィルム(２０３)の回転を止めてストレッチフィルム(２０３)を引き伸ばしてストレッチフィルム(２０３)をカッター刃(２１３)で切断すると、伸びて縮んだストレッチフィルム（２０３）の一端が製品と巻きストレッチフィルム(２０３)の両者にちじれた状態で残って居て次にストレッチフィルム（２０３）端を容易に取り出せる。
【産業上の利用可能性】
【０１１２】
ストレッチフィルム（２）を数多く引きちぎるまで伸ばすのは非力な人では大変である、又、ストレッチフィルム（２）の切断の際に刃物を持ち出しストレッチフィルム（２）の切断は手間がかかるので、回転カッター(５) ストレッチフィルム操作具（３）はこの問題点が解決されて、産業上の利用可能性が高いと思います。
【符号の説明】
【０１１３】
１  紙管
２  ストレッチフィルム
３  ストレッチフィルム操作具
４  紙管支持具
５  回転カッター
６  ブレーキ管
７  カッター刃アーム
８  カッター刃
９  ローラー
１０  ローラー軸
１１  ブレーキパット装着穴
１２  ブレーキパット
１３  スプリング
１４  紙管装着管
１５  グリップ
１６  紙管装着管受け軸
１７  紙管装着管脱落止め
１８  タイト隆起
１９  紙管止め
２０  回転カッター脱落止めリング
２１  ブレーキ板
２２  回転カッター移動止め
２３  紙管コントロール突起    
２４  回転カッター止め突起
５１  紙管
５２  ストレッチフィルム
５３  ストレッチフィルム操作具
５４  紙管支持具
５５  回転カッター
５６  紙管装着軸
５７  グリップ
５８  紙管脱落止め
５９  ブレーキ板
６０  紙管コントロール突起
６１  回転カッター止め突起
６２  ブレーキ管
６３  カッター刃アーム
６４  カッター刃
６５  ローラー軸アーム
６６  ローラー軸
６７  穴
６８  ローラー
６９  ブレーキパット装着穴
７０  ブレーキパットスプリング
７１  ブレーキパット
７２  スペイサー
７３  補助アーム
７４  ローラー軸アームカバー
１０１  紙管
１０２  ストレッチフィルム
１０３  ストレッチフィルム操作具
１０４  紙管操作グリップ
１０５  紙管支持具
１０６  リフトハンドル
１０７  回転カッター
１０８  ブレーキパット装着管
１０９  カッター刃アーム
１１０  カッター刃
１１１  ローラー
１１２  ローラー軸
１１３  ブレーキパット装着穴
１１４  ブレーキパット
１１５  スプリング
１１６  溝
１１７  紙管操作グリップベース
１１８  グリップベースカバー
１１９  フック
１２０  ブレーキ帯
１２１  ブレーキボタン
１２２  紙管操作グリップ脱落止め外リング
１２３  グリップベースカバーホール
１２４  ジョイントフック
１２５  リフトハンドルベース
１２６  リフトハンドルブレーキ
１２７  ブレーキレバー
１２８  ブレーキ帯リフトバー
１２９  支点軸
１３０  ブレーキ帯装着穴
１３１  紙管装着軸
１３２  補助紙管装着軸
１３３  紙管操作グリップ脱落止め内リング
１３４  雄螺子
１３５  ナット
１３６  ブレーキ負荷調整ボタン
１３７  ブレーキ帯貫通穴
１５１  ストレッチフィルム操作具
１５２  紙管
１５３  ストレッチフィルム
１５４  紙管支持具
１５５  リフトハンドル
１５６  回転カッター
１５７  紙管支持ベース
１５８  ブレーキデスクリング
１５９  ブレーキデスクリングフック
１６０  ブレーキベルト
１６１  紙管支持ドラムジョイント板
１６２  紙管支持ドラム
１６３  スプリング
１６４  ジョイントフックホール
１６５  ジョイントフック
１６６  カッター支持アーム
１６７  カッター支持アームリング
１６８  カッタースライドバー
１６９  ローラー軸
１７０  カッタースライドベース
１７１  ローラー
１７２  カッター刃
１７３  カッター刃レバー
１７４  補助ローラー支持アーム
１７５  補助ローラー支持アームリング
１７６  補助ローラー軸
１７７  補助ローラー
１７８  スットパーボタン
１７９  アームスプリング
１８０  リフトハンドルベース
１８１  ブレーキレバー
１８２  ジョイントベルト
２０１  ストレッチフィルム操作具
２０２  紙管
２０３  ストレッチフィルム
２０４  紙管支持具
２０５  回転カッター
２０６  ハンドル
２０７  ブレーキ管
２０８  カッター刃アーム
２０９  ローラー軸
２１０  カッター刃軸
２１１  ローラー脱落止めフック
２１２  ローラー
２１３  カッター刃
２１４  ブレーキパット装着穴
２１５  ブレーキパット
２１６  スプリング
２１７  回転軸
２１８  ブレーキデスクリング
２１９  紙管支持ドラム
２２０  紙管支持ドラム移動止め輪
２２１  紙管支持ドラム脱落止めフック
２２２  開口部
２２３  突起
２２４  紙管脱落止め突起
２２５  切り込み
２２６  グリップ
２２７  グリップ移動止め輪
２２８  グリップフック
２２９  ブレーキ板
２３０  紙管コントロール突起
２３１  回転カッター止め突起
２３２  グリップ
２３３  回転軸
２３４  ブレーキデスクリング
２３５  ブレーキ管
２３６  突起
２３７  紙管支持ドラム
２３８  開口部
２３９  紙管脱落止め突起
２４０  フック
２４１  ブレーキ板
２４２  紙管コントロール突起
２４３  回転カッター止め突起
【図１】
2017209489.tif 000003
【図２】
2017209489.tif 000004
【図３】
2017209489.tif 000005
【図４】
2017209489.tif 000006
【図５】
2017209489.tif 000007
【図６】
2017209489.tif 000008
【図７】
2017209489.tif 000009
【図８】
2017209489.tif 000010
【図９】
2017209489.tif 000011
【図１０】
2017209489.tif 000012
【図１１】
2017209489.tif 000013
【図１２】
2017209489.tif 000014
【図１３】
2017209489.tif 000015
【図１４】
2017209489.tif 000016
【図１５】
2017209489.tif 000017
【図１６】
2017209489.tif 000018
【図１７】
2017209489.tif 000019
【図１８】
2017209489.tif 000020
【図１９】
2017209489.tif 000021
【図２０】
2017209489.tif 000022
【図２１】
2017209489.tif 000023
【図２２】
2017209489.tif 000024
【図２３】
2017209489.tif 000025
【図２４】
2017209489.tif 000026
【図２５】
2017209489.tif 000027
【図２６】
2017209489.tif 000028
【図２７】
2017209489.tif 000029
【図２８】
2017209489.tif 000030
【図２９】
2017209489.tif 000031
【図３０】
2017209489.tif 000032